(57)【要約】【課題】  コンクリート構造物におけるクラック発生部を強固な方法で補修したり、あるいはコンクリート構造物における目地形成部を耐久性の強い方法で封止する。【解決手段】  コンクリート壁１における線状クラック２発生部に、入口側にあって所定の幅Ａ有し且つ所定の深さＢを有する幅狭削溝部３Ａと、該幅狭削溝部３Ａの幅より広い幅Ｃを有する幅広削溝部３Ｂとを奥行き方向に連続させてなる線状削溝３を形成したあと、該線状削溝３にモルタルあるいは樹脂等の封止材１１を充填して補修するか、あるいはコンクリート構造物２０の目地形成部２１に、入口側にあって所定の幅Ａ有し且つ所定の深さＢを有する幅狭削溝部２３Ａと、該幅狭削溝部２３Ａの幅より広い幅Ｃを有する幅広削溝部２３Ｂとを奥行き方向に連続させてなる線状削溝２３を形成したあと、該線状削溝２３にモルタルあるいは樹脂等の封止材４１を充填して封止する。【選択図】        図２
2011080307.tif 000002
【特許請求の範囲】
【請求項１】
コンクリート壁（１）における線状クラック（２）発生部に、入口側にあって所定の幅（Ａ）有し且つ所定の深さ（Ｂ）を有する幅狭削溝部（３Ａ）と、該幅狭削溝部（３Ａ）の幅より広い幅（Ｃ）を有する幅広削溝部（３Ｂ）とを奥行き方向に連続させてなる線状削溝（３）を形成したあと、該線状削溝（３）にモルタルあるいは樹脂等の封止材（１１）を充填することを特徴とするコンクリート壁における線状クラック発生部の補修方法。
【請求項２】
コンクリート構造物（２０）の目地形成部（２１）に、入口側にあって所定の幅（Ａ）有し且つ所定の深さ（Ｂ）を有する幅狭削溝部（２３Ａ）と、該幅狭削溝部（２３Ａ）の幅より広い幅（Ｃ）を有する幅広削溝部（２３Ｂ）とを奥行き方向に連続させてなる線状削溝（２３）を形成したあと、該線状削溝（２３）にモルタルあるいは樹脂等の封止材（４１）を充填することを特徴とするコンクリート壁の接合部における目地封止方法。
【発明の詳細な説明】
【技術分野】
【０００１】
本願発明は、コンクリート製の水路の壁面やコンクリート構造物の壁面（以下、総合して「コンクリート壁」という）における線状クラック発生部の補修方法およびコンクリート製の壁体を多数接合して水路や建築物等の各種コンクリート構造物を構築する場合のコンクリート壁接合部（いわゆる「目地部」）における目地部分の封止方法に関するものである。
【背景技術】
【０００２】
図１３には、コンクリート製水路の壁体１０１の一部に不定形状の線状クラック１０２が発生した状態が示されているが、このような場合、従来は図１４（イ）に示すように、回転工具１３０の回転軸１３１の先端に装着した先細円錐形のドリル１３２で線状クラック１０２に沿って図１４（ロ）に示すような横断面二等辺三角形状の線状削溝１０３を形成し、そのあと、その線状削溝１０３に図１４（ハ）に示すようにモルタルあるいは樹脂等の充填物１１１を充填してクラック発生部を補修していた。ところが、このような従来方式の補修方法では図１４（ハ）において符号１１１′で示すように、クラック発生部に充填した封止材が剥落することが多かった。
【０００３】
なお、コンクリート壁における線状クラック発生部の他の補修方法例としては、図１５に例示するように、クラック発生部１０２に入口１０３Ａ側が広く、奥壁１０３Ｄ側が狭い横断面台形状の線状削溝１０３を形成してそこにモルタルや樹脂等の封止材１１１を充填する方法や、図１６に例示するように、クラック発生部１０２に内方が横断面半円形状となっている線状削溝１０３を形成してそこにモルタルあるいは樹脂等の封止材１１１を充填する方法等も行われているが、それらのいずれの方法においても形成した線状削溝１０３の入口側が内方部側よりも外部に向かって広く開口しているため、図１４に示す補修方法例の場合と同様、充填した封止材が剥落することが多いというのが実情である。
【０００４】
本願発明者は、上記のような事情に鑑み、コンクリート構造物における線状クラック発生部の補修方法について過去の特許文献等の文献類を調査したが、特に参考になるようなものは発見できなかった。
【発明の概要】
【発明が解決しようとする課題】
【０００５】
本願発明は、コンクリート構造物におけるクラック発生部について新規の補修方法を提案することを第１の目的とする一方、その新規に開発したクラック発生部の補修方法を複数のコンクリート壁の接合部（目地部分）の封止方法にも応用してコンクリート構造物における目地形成部の耐久性を向上させることを第２の目的としてなされたものである。
【課題を解決するための手段】
【０００６】
本願発明は、コンクリート壁における線状クラック発生部の補修方法（第１発明）と、この第１発明の方法をコンクリート壁接合部（目地形成部）の封止方法に応用したコンクリート壁の目地封止方法（第２発明）とからなっているが、以下それらの各発明について説明する。
【０００７】
本願第１発明
本願第１発明は、請求項１に示すように、コンクリート壁１における線状クラック２発生部に、入口側にあって所定の幅Ａを有し且つ所定の深さＢを有する幅狭削溝部３Ａと、該幅狭削溝部３Ａの幅より広い幅Ｃを有する幅広削溝部３Ｂとを奥行き方向に連続させてなる線状削溝３を形成したあと、該線状削溝３にモルタルあるいは樹脂等の封止材１１を充填することを特徴としている。
【０００８】
上記のように構成したことにより、線状削溝３に充填された封止材１１が、幅広削溝部３Ｂに対応する幅広部１１Ｂを有することとなり、該幅広部１１Ｂが幅広削溝部３Ｂに対してしっかり嵌合せしめられることとなる。従って、従来工法において頻発していた封止材１１の剥落を確実に防止することができる。
【０００９】
本願第２発明
本願第２発明は、請求項２に示すように、コンクリート構造物２０の目地形成部２１に、入口側にあって所定の幅Ａを有し且つ所定の深さＢを有する幅狭削溝部２３Ａと、該幅狭削溝部２３Ａの幅より広い幅Ｃを有する幅広削溝部２３Ｂとを奥行き方向に連続させてなる線状削溝２３を形成したあと、該線状削溝２３にモルタルあるいは樹脂等の封止材４１を充填することを特徴としている。
【００１０】
上記のように構成したことにより、線状削溝２３に充填された封止材４１が、幅広削溝部２３Ｂに対応する幅広部４１Ｂを有することとなり、該幅広部４１Ｂが幅広削溝部２３Ｂに対してしっかり嵌合せしめられることとなる。従って、従来工法において頻発していた封止材４１の剥落を確実に防止することができる。
【発明の効果】
【００１１】
本願第１発明によれば、コンクリート壁１における線状クラック２発生部に、入口側にあって所定の幅Ａを有し且つ所定の深さＢを有する幅狭削溝部３Ａと、該幅狭削溝部３Ａの幅より広い幅Ｃを有する幅広削溝部３Ｂとを奥行き方向に連続させてなる線状削溝３を形成したあと、該線状削溝３にモルタルあるいは樹脂等の封止材１１を充填するようにして、線状削溝３に充填された封止材１１が、幅広削溝部３Ｂに対応する幅広部１１Ｂを有するようにしたので、該幅広部１１Ｂが幅広削溝部３Ｂに対してしっかり嵌合せしめられることとなり、従来工法において頻発していた封止材１１の剥落を確実に防止することができるという効果がある。
【００１２】
本願第２発明によれば、コンクリート構造物２０の目地形成部２１に、入口側にあって所定の幅Ａを有し且つ所定の深さＢを有する幅狭削溝部２３Ａと、該幅狭削溝部２３Ａの幅より広い幅Ｃを有する幅広削溝部２３Ｂとを奥行き方向に連続させてなる線状削溝２３を形成したあと、該線状削溝２３にモルタルあるいは樹脂等の封止材４１を充填するようにして、線状削溝２３に充填された封止材４１が、幅広削溝部２３Ｂに対応する幅広部４１Ｂを有するようにしたので、該幅広部４１Ｂが幅広削溝部２３Ｂに対してしっかり嵌合せしめられることとなり、従来工法において頻発していた封止材４１の剥落を確実に防止することができるという効果がある。
【図面の簡単な説明】
【００１３】
【図１】本願第１発明のコンクリート壁における線状クラック発生部の補修方法の補修対象となる線状クラック発生部の説明図である。
【図２】図１に示されている線状クラック発生部分の補修方法を説明する説明図であり、（イ）は線状クラック発生部に線状削溝を形成するための形成過程を示す説明図、（ロ）は線状クラック発生部に形成された線状削溝の形状を示す説明図、（ハ）は線状削溝に封止材を充填した状態の説明図である。
【図３】本願第１発明のコンクリート壁における線状クラック発生部の補修方法の実施の形態において線状クラック発生部に形成される線状削溝の変形例１を示す説明図である。
【図４】本願第１発明のコンクリート壁における線状クラック発生部の補修方法の実施の形態において線状クラック発生部に形成される線状削溝の変形例２を示す説明図である。
【図５】本願第１発明のコンクリート壁における線状クラック発生部の補修方法の実施の形態において線状クラック発生部に形成される線状削溝の変形例３を示す説明図である。
【図６】本願第１発明のコンクリート壁における線状クラック発生部の補修方法の実施の形態において線状クラック発生部に形成される線状削溝の変形例４を示す説明図である。
【図７】本願第２発明のコンクリート壁の接合部における目地封止方法の対象となるコンクリート壁を示す斜視図である。
【図８】本願第２発明のコンクリート壁の接合部における目地封止方法を説明する説明図であり、（イ）は接合部に線状削溝を形成するための形成過程を示す説明図、（ロ）は接合部に形成された線状削溝の形状を示す説明図、（ハ）は線状削溝に封止材を充填した状態の説明図である。
【図９】本願第２発明のコンクリート壁における目地封止方法の実施の形態において接合部に形成される線状削溝の変形例１を示す説明図である。
【図１０】本願第２発明のコンクリート壁における目地封止方法の実施の形態において接合部に形成される線状削溝の変形例２を示す説明図である。
【図１１】本願第２発明のコンクリート壁における目地封止方法の実施の形態において接合部に形成される線状削溝の変形例３を示す説明図である。
【図１２】本願第２発明のコンクリート壁における目地封止方法の実施の形態において接合部に形成される線状削溝の変形例４を示す説明図である。
【図１３】従来のコンクリート構造物における線状クラックの発生状況説明図である。
【図１４】従来の方法による線状クラック発生部の補修方法説明図であり、（イ）は線状クラック発生部に線状削溝を形成するための形成過程を示す説明図、（ロ）は線状クラック発生部に形成された線状削溝の形状を示す説明図、（ハ）は線状削溝に封止材を充填した状態の説明図である。
【図１５】他の従来の方法によって線状クラック発生部を補修した場合の状況説明図である。
【図１６】さらに他の従来方法によって線状クラック発生部を補修した場合の状況説明図である。
【発明を実施するための形態】
【００１４】
以下、図１ないし図１２を参照しつつ、本願第１発明の実施例にかかるコンクリート壁線状クラックの補修方法（第１実施例および変形例１〜４）と、本願第２発明の実施例にかかるコンクリート壁の接合部における目地封止方法（第２実施例および変形例１〜４）を説明する。
【００１５】
第１実施例
図１には水路を構成するコンクリート壁１に発生した不定形状の線状クラック２が示されている。
【００１６】
図２にはこの実施例において線状クラック２発生部に線状削溝３を形成する方法が示されている。
【００１７】
すなわち、この実施例の場合は、図２（イ）に示すように、回転軸３１の先端にドリル３２を装着した回転工具３０を使用し、そのドリル３２によってコンクリート壁１における線状クラック２に沿って図２（ロ）に示すように、入口側にあって所定の幅Ａを有し且つ所定の深さＢを有する四角形形状の横断面をもつ幅狭削溝部３Ａと、該幅狭削溝部３Ａの幅より広い幅Ｃを有する逆円錐台形状の横断面をもつ幅広削溝部３Ｂとを奥行き方向に連続させてなる線状削溝３を形成する。従って、前記ドリル３２の形状も、前記線状削溝３と同様な形状とされる。つまり、前記ドリル３２は、前記幅狭削溝部３Ａに対応する四角形形状の横断面をもつ幅狭部３２Ａと、前記幅広削溝部３Ｂに対応する逆円錐台形状の横断面をもつ幅広部３２Ｂとによって構成されているのである。
【００１８】
そして、前記線状削溝３が形成されたあとは、その線状削溝３内に図２（ハ）に示すようにモルタルあるいは樹脂等（たとえば、アクリル、ウレタン等）からなる封止材１１を充填して固化させる。
【００１９】
上記線状削溝３においては、Ａ：Ｂ：Ｃ＝２：１：４とするのが、補修後の封止材１１における幅広部１１Ｂと線状削溝３における幅広削溝部３Ｂとの嵌合強度を確保する上で望ましいが、この寸法比に限定されるものではない。
【００２０】
上記のようにして線状削溝３に充填された封止材１１は、その固化後は、逆円錐台形状の横断面をもつ幅広削溝部３Ｂに対応する逆円錐台形状の横断面をもつ幅広部１１Ｂを有することとなり、該幅広部１１Ｂが幅広削溝部３Ｂに対してしっかり嵌合せしめられることとなる。従って、従来工法において頻発していた封止材１１の剥落を確実に防止することができる。その結果、封止材１１は、長期間に亘って線状クラック２発生部を封止することができることとなる。図２において符号１１Ａは、幅狭削溝部３Ａに対応する幅狭部である。
【００２１】
ところで、前記線状削溝３の形状としては、図３ないし図６に示す変形例１〜４を採用することもできる。
【００２２】
すなわち、図３に示す線状削溝３は、入口側にあって所定の幅Ａを有し且つ所定の深さＢを有する四角形形状の横断面をもつ幅狭削溝部３Ａと、該幅狭削溝部３Ａの幅より広い幅Ｃを有する円錐形状の横断面をもつ幅広削溝部３Ｂとを奥行き方向に連続させた形状とされている。
【００２３】
図４に示す線状削溝３Ａは、入口側にあって所定の幅Ａを有し且つ所定の深さＢを有する四角形形状の横断面をもつ幅狭削溝部３Ａと、該幅狭削溝部３Ａの幅より広い幅Ｃを有する四角形形状の横断面をもつ幅広削溝部３Ｂとを奥行き方向に連続させた形状とされている。
【００２４】
上記図３および図４の場合の線状削溝３においては、Ａ：Ｂ：Ｃ＝２：１：４とするのが望ましいが、この寸法比に限定されるものではない。
【００２５】
図５に示す線状削溝３は、入口側にあって所定の幅Ａを有し且つ所定の深さＢを有する四角形形状の横断面をもつ幅狭削溝部３Ａと、該幅狭削溝部３Ａの幅より広い幅Ｃを有する三角形形状の横断面をもつ幅広削溝部３Ｂとを奥行き方向に連続させた形状とされている。
【００２６】
図６に示す線状削溝３は、入口側にあって所定の幅Ａを有し且つ所定の深さＢを有する四角形形状の横断面をもつ幅狭削溝部３Ａと、該幅狭削溝部３Ａの幅より広い幅Ｃを有する四角形形状の横断面をもつ幅広削溝部３Ｂとを奥行き方向に連続させた形状とされている。
【００２７】
上記図５および図６の場合の線状削溝３においては、Ａ：Ｂ：Ｃ＝２：１：３とするのが望ましいが、この寸法比に限定されるものではない。
【００２８】
第２実施例
図７には複数のコンクリート壁１，１，１を接合して１つのコンクリート構造物（たとえば建物の塀）２０を構築する場合の施工例を示している。このような壁体接合構造のコンクリート構造物を構築する場合は、隣接する２枚のコンクリート壁１，１間の接合部（目地部分）２１にピッチ等からなる封止材を充填するのが通例である。
【００２９】
図８（イ），（ロ），（ハ）には、上記目地部分２１に、本願第２発明の方法によってモルタルあるいは樹脂等の封止材を充填する場合の施工例が示されているので、以下これを説明する。
【００３０】
図７に示すような隣接する一対のコンクリート壁１，１の間の目地部分２１に対しては、通常の場合、図８（イ）において符号２２で示す目地充填材（たとえば、ピッチ等）が充填される。
【００３１】
そして、この第２実施例の施工方法では、図８（イ）に示すように、回転軸３１の先端にドリル３２を装着した回転工具３０を使用し、そのドリル３２によってコンクリート壁１における目地充填材２２に沿って図８（ロ）に示すように、入口側にあって所定の幅Ａを有し且つ所定の深さＢを有する四角形形状の横断面をもつ幅狭削溝部２３Ａと、該幅狭削溝部２３Ａの幅より広い幅Ｃを有する逆円錐台形状の横断面をもつ幅広削溝部２３Ｂとを奥行き方向に連続させてなる線状削溝２３を形成する。従って、前記ドリル３２の形状も、前記線状削溝２３と同様な形状とされる。つまり、前記ドリル３２は、前記幅狭削溝部２３Ａに対応する四角形形状の横断面をもつ幅狭部３２Ａと、前記幅広削溝部２３Ｂに対応する逆円錐台形状の横断面をもつ幅広部３２Ｂとによって構成されているのである。
【００３２】
そして、前記線状削溝２３が形成されたあとは、その線状削溝２３内に図８（ハ）に示すようにモルタルあるいは樹脂等（たとえば、アクリル、ウレタン等）からなる封止材４１を充填して固化させる。
【００３３】
上記線状削溝２３においては、Ａ：Ｂ：Ｃ＝２：１：４とするのが、補修後の封止材４１における幅広部４１Ｂと線状削溝２３における幅広削溝部２３Ｂとの嵌合強度を確保する上で望ましいが、この寸法比に限定されるものではない。
【００３４】
上記のようにして線状削溝２３に充填された封止材４１は、その固化後は、逆円錐台形状の横断面をもつ幅広削溝部２３Ｂに対応する逆円錐台形状の横断面をもつ幅広部４１Ｂを有することとなり、該幅広部４１Ｂが幅広削溝部２３Ｂに対してしっかり嵌合せしめられることとなる。従って、従来工法において頻発していた封止材４１の剥落を確実に防止することができる。その結果、封止材４１は、長期間に亘って目地形成部を封止することができることとなる。図８において符号４１Ａは、幅狭削溝部２３Ａに対応する幅狭部である。
【００３５】
ところで、前記線状削溝２３の形状としては、図９ないし図１２に示す変形例１〜４を採用することもできる。
【００３６】
すなわち、図９に示す線状削溝２３は、入口側にあって所定の幅Ａを有し且つ所定の深さＢを有する四角形形状の横断面をもつ幅狭削溝部２３Ａと、該幅狭削溝部２３Ａの幅より広い幅Ｃを有する円錐形状の横断面をもつ幅広削溝部２３Ｂとを奥行き方向に連続させた形状とされている。
【００３７】
図１０に示す線状削溝３Ａは、入口側にあって所定の幅Ａを有し且つ所定の深さＢを有する四角形形状の横断面をもつ幅狭削溝部２３Ａと、該幅狭削溝部２３Ａの幅より広い幅Ｃを有する四角形形状の横断面をもつ幅広削溝部２３Ｂとを奥行き方向に連続させた形状とされている。
【００３８】
上記図９および図１０の場合の線状削溝２３においては、Ａ：Ｂ：Ｃ＝２：１：４とするのが望ましいが、この寸法比に限定されるものではない。
【００３９】
図１１に示す線状削溝３は、入口側にあって所定の幅Ａを有し且つ所定の深さＢを有する四角形形状の横断面をもつ幅狭削溝部２３Ａと、該幅狭削溝部２３Ａの幅より広い幅Ｃを有する三角形形状の横断面をもつ幅広削溝部２３Ｂとを奥行き方向に連続させた形状とされている。
【００４０】
図１２に示す線状削溝２３は、入口側にあって所定の幅Ａを有し且つ所定の深さＢを有する四角形形状の横断面をもつ幅狭削溝部２３Ａと、該幅狭削溝部２３Ａの幅より広い幅Ｃを有する四角形形状の横断面をもつ幅広削溝部２３Ｂとを奥行き方向に連続させた形状とされている。
【００４１】
上記図１１および図１２の場合の線状削溝２３においては、Ａ：Ｂ：Ｃ＝２：１：３とするのが望ましいが、この寸法比に限定されるものではない。
【００４２】
本願発明は、上記実施の形態に限定されるものではなく、発明の要旨を逸脱しない範囲において適宜設計変更可能なことは勿論である。
【符号の説明】
【００４３】
１はコンクリート壁、２は線状クラック、３は線状削溝、３Ａは幅狭削溝部、３Ｂは幅広削溝部、１１は封止材、１１Ａは幅狭部、１１Ｂは幅広部、２０はコンクリート構造物、２１は目地部分、２３は線状削溝、２３Ａは幅狭削溝部、２３Ｂは幅広削溝部、４１は封止材、４１Ａは幅狭部、４１Ｂは幅広部、Ａは幅狭削溝部の幅、Ｂは幅狭削溝部の深さ、Ｃは幅広削溝部の幅である。
【図１】
2011080307.tif 000003
【図２】
2011080307.tif 000004
【図３】
2011080307.tif 000005
【図４】
2011080307.tif 000006
【図５】
2011080307.tif 000007
【図６】
2011080307.tif 000008
【図７】
2011080307.tif 000009
【図８】
2011080307.tif 000010
【図９】
2011080307.tif 000011
【図１０】
2011080307.tif 000012
【図１１】
2011080307.tif 000013
【図１２】
2011080307.tif 000014
【図１３】
2011080307.tif 000015
【図１４】
2011080307.tif 000016
【図１５】
2011080307.tif 000017
【図１６】
2011080307.tif 000018